(57)【要約】【課題】一般家庭の居室などにおいて爽やかさや涼気さを伴った風の送り出しを行なって爽快感のある雰囲気作りが容易な送風機を提供する。【解決手段】電動モーターなどの駆動手段からの駆動力により軸回転する回転軸４が上部に配置されている基台２と、回転軸に支持された回転可能な回転盤５と、回転盤５の外周部に、上下方向に回動可能に取り付けられ、団扇７の柄を取付可能とした複数の団扇支持手段６と、団扇支持手段６それぞれに取り付けられている団扇７と、回転盤上方に向けて開いている透孔を有する芳香剤収容部１０とを具備し、団扇７の扇部の遠心送風により回転盤上から団扇の移動軌跡の外方に向けて流れる空気流により、透孔から放たれる芳香剤成分を団扇７の移動軌跡の外方に向けて拡散させる構成とした。【選択図】図１
0003170214.tif 000002
【実用新案登録請求の範囲】
【請求項１】
電動モーターなどの駆動手段が内設され、駆動手段からの駆動力により軸回転する回転軸が上部に配置されている基台と、前記回転軸に連結されて回転可能に支持された回転盤と、前記回転盤の外周部にその外周部周りで等間隔に位置していて、前記回転盤外周部に対し上下方向に回動可能に取り付けられ、自由端側に団扇の柄を取付可能とした複数の団扇支持手段と、前記団扇支持手段それぞれに取り付けられている団扇と、前記回転盤に取り付けられていて回転盤上方に向けて開いている透孔を有する芳香剤収容部とを具備しており、前記回転盤の回転で移動する団扇の扇部の遠心送風により回転盤上から団扇の移動軌跡の外方に向けて流れる空気流が、前記透孔から放たれる芳香剤成分を前記移動軌跡の外方に向けて拡散させる構成としたことを特徴とする団扇扇風機。
【考案の詳細な説明】
【技術分野】
【０００１】
本考案は団扇を使用した団扇扇風機に関するものである。
【背景技術】
【０００２】
団扇を扇ぐ動作を機械で行なう送風機器が提案されている。例えば、特許文献１には、モーターの駆動回転をリンクを介して上下に往復動する昇降動作に変換し、昇降動作するリンクに、横置きされて上下方向に揺動可能に支持された団扇の保持具を連結していて、団扇の柄を差し込みできるようにした前記保持具の差し込み部分に上下に揺動させて、団扇が上下に扇ぐ動きをして風を送り出す扇風機が提案されている。
【０００３】
また、特許文献２にあっては、縦の回転軸をその軸周りに定角度の範囲で正逆の軸回転を繰り返しさせ、回転軸方向に交叉する方向にしてその回転軸に取り付けたアームを旋回動作するようにし、アームに取り付けた団扇の扇ぎ動作を横方向にして、横向きで面が縦となる扇部が往復動（横方向に扇ぐ動作）することで送風する送風機が提案されている。
【先行技術文献】
【特許文献】
【０００４】
【特許文献１】実開昭６１−０８８１００号公報
【特許文献２】実開平０１−１１８１９９号公報
【考案の概要】
【考案が解決しようとする課題】
【０００５】
団扇や扇子を扇ぐことで得られる風は団扇や扇子の扇部がしなることで電気扇風機に比べて風圧が小さく身体には柔らかな風当たりとなるため、電気扇風機が広く普及している現在においても団扇や扇子が用いられる理由の一つである。そして、上述の団扇を利用した送風機器が動作するときも団扇がしなって遠心送風して同様の風を起こすことができるものとなっている。
【０００６】
そこで本考案者にあっては、周囲に複数の団扇を取り付けた回転体が低速に回転することにより、その扇部の移動軌跡となる位置から周囲に向けて柔らかな風を送り出すことが可能であることに注目して、一般家庭の居室などにおいて爽やかさや涼気さを伴った風の送り出しを行なって爽快感のある雰囲気作りが容易な送風機を提供することを課題とするものである。
【課題を解決するための手段】
【０００７】
本考案は上記課題を考慮してなされたもので、電動モーターなどの駆動手段が内設され、駆動手段からの駆動力により軸回転する回転軸が上部に配置されている基台と、前記回転軸に連結されて回転可能に支持された回転盤と、前記回転盤の外周部にその外周部周りで等間隔に位置していて、前記回転盤外周部に対し上下方向に回動可能に取り付けられ、自由端側に団扇の柄を取付可能とした複数の団扇支持手段と、前記団扇支持手段それぞれに取り付けられている団扇と、前記回転盤に取り付けられていて回転盤上方に向けて開いている透孔を有する芳香剤収容部とを具備しており、前記回転盤の回転で移動する団扇の扇部の遠心送風により回転盤上から団扇の移動軌跡の外方に向けて流れる空気流が、前記透孔から放たれる芳香剤成分を前記移動軌跡の外方に向けて拡散させる構成としたことを特徴とする団扇扇風機を提供して、上記課題を解消するものである。
【考案の効果】
【０００８】
本考案によれば、旋回移動する団扇から送り出される風圧の小さな風にて芳香剤成分が広がるようになり、本団扇扇風機を置いた居室空間を涼やかな雰囲気にすることができるなど、実用性に優れた効果を奏するものである。
【図面の簡単な説明】
【０００９】
【図１】本考案に係る団扇扇風機の一実施例を示す説明図である。
【図２】一実施例において団扇を立たせた形態を示す説明図である。
【図３】一実施例における団扇支持手段を示す説明図である。
【図４】他の団扇支持手段の一例を示す説明図である。
【図５】同じく他の団扇支持手段の一例を示す説明図である。
【考案を実施するための形態】
【００１０】
つぎに本考案を図１から図５に示す実施の形態に基づいて詳細に説明する。
図中１は団扇扇風機で、図１に示すように所要の形に形成されて各種制御素子板や電源装置を収めて外面には電源オンオフと風の強弱を選択できるようにするためのスイッチが配置されている基台２の内部に、電動モーターが駆動手段３として設けられている。そして、前記駆動手段３からの駆動力を受けて軸回転する回転軸４が縦に配され、回転軸４の上端が基台上部から上方に向けて位置して、この部分に平面の形状が略円とされた回転盤５が取り付けられている。
【００１１】
回転軸４に支えられて回転する回転盤５の外周部にはその外周部周りに等間隔にして四つの略棒状の団扇支持手段６が配置されている（回転盤５の回転方向を矢印ａで示す）。なお、本団扇扇風機１は複数の団扇を旋回移動させて風を送り出すようにするものであり、電気扇風機のファンのように高速回転させるものではなく、後述の団扇から扇ぎ出される風が、手持ちの団扇で扇ぎ出す風の強さと同程度の風圧となるように、その団扇を旋回移動させる駆動力が調整されている。例えば商用電源から給電を受けてインバータ回路により電動モーターの回転数を定め、さらにそのモーターからの駆動力により軸回転する上記回転軸４を図示しない減速機構を介して回転盤の回転数を約２００ｒｐｍ程度に落とすようにすることが可能である。
【００１２】
上記団扇支持手段６は団扇７を本団扇扇風機１の高さ方向（上下方向）に回動可能にして、かつ団扇７の扇部の向きを変更できるようにして支持するものである。例えば、図示されているように、前記団扇支持手段６は回転盤５側の端部を回転盤５の外周部に形成された縦の溝部に配置し、その溝部内にある支軸８に枢支されて上下方向に回動可能とされ（矢印ｂ方向）、溝部の内側面との摩擦力によって上下方向での傾斜角度が位置決めできるように設けられている（図１、２参照）。
【００１３】
さらに、この団扇支持手段６では、回転盤５に枢支されている端部とは反対の自由端が、団扇７の柄を差し込み保持する取付部９として設けられている。団扇７の扇部が面する方向を調整して傾き状態を維持できるものであれば、団扇７の柄を着脱可能にする取付部９の構造は限定されるものではないが、本実施の形態にあっては、図３に示すように前記取付部９を、前記支軸８側の部分に対して軸回転可能としており（軸回転方向を矢印ｃで示す）、さらに、扇部を好みの方向に向けた状態とした団扇７の柄（平柄）７ａをＶ溝９ａに置き、留め環９ｂにて柄と自由端とを締め込むものとしている。
【００１４】
前述した形態では取付部９ａを軸回転する調整とＶ溝９ａ内での柄７ａの傾き調整とを共に行なうものとしているが、Ｖ溝９ａでの柄の傾き調整のみで団扇７の扇部の面方向の調整を行なえるものであってもよい。また図５に示すように、取付部９を支軸８側に対して軸回転可能とし、かつその取付部９が柄（平柄）７ａに対するねじ止めを可能とした構造にして団扇７の柄を挟み込み保持する構造としてもよい。
【００１５】
さらに図４に示すように取付部９を支軸８側に対して軸回転可能とし、その取付部９の端面側が十字状に開口した差し込み孔に対して、団扇７の柄（平柄）７ａの差し込み向きを選択しながら差し込むことで、団扇７を着脱可能に保持できるようにすることも可能である。そして、この例の場合では差し込み孔の中心に丸柄である柄７ａを差し入れて支持させるようにすることも可能となる。
【００１６】
上記回転盤５には、人体に無害とされている芳香成分を有する芳香剤を収容した芳香剤収容部１０が設けられている。図示されているようにこの芳香剤収容部１０は、芳香剤を入れる収容部分を回転盤５の内部に位置し、回転盤５の上面に上方に向けて開いている透孔１０ａを有するもので、この透孔１０ａを通して外部に芳香成分を放散させることができるように設けられている。
【００１７】
団扇扇風機１では、上述したように回転する回転盤５の外周部に、それぞれ団扇７を横にした状態（図１）や縦とした状態（図２）として配置し、さらに扇部の角度を調整できるようにして団扇７を位置させているものであり、回転盤５の回転により団扇７が旋回移動し、その移動する団扇７によって遠心送風が団扇７の扇部の旋回移動する位置から外方に向けて行なわれる。そして、扇部の遠心送風により回転盤上から団扇の移動軌跡の外方に向けて流れる空気流（図における矢印Ａにて空気流の流れを示した）が生じるようになる。さらに、上記回転盤５の上面に透孔１０ａを位置させている芳香剤収容部１０から芳香剤が放散可能となっていることから、前記空気流によって芳香成分が団扇７の旋回軌跡から外方に向けて、即ち団扇扇風機１の周囲に向けて拡散されるようになる。
【００１８】
このように団扇７の旋回移動により遠心送風することから、例えばこの団扇扇風機１を置いて団扇７を回すことにより居室空間に芳香成分を伴った風が広がるととなり、爽やかな雰囲気を居室空間内に形成できるとともに、この風が身体に当たることでも心地よい涼しさを感じさせることができるものである。
【符号の説明】
【００１９】
１…団扇扇風機
２…基台
３…駆動手段
４…回転軸
５…回転盤
６…団扇支持手段
７…団扇
７ａ…団扇の柄
８…（回転盤の溝部内にある）支軸
９…取付部
９ａ…Ｖ溝
９ｂ…留め環
１０…芳香剤収容部
１０ａ…（芳香剤収容部１０の）透孔
Ａ…空気流
ａ…回転盤の回転方向
ｂ…団扇支持手段の回動方向
ｃ…取付部の軸回転方向
【図１】
0003170214.tif 000003
【図２】
0003170214.tif 000004
【図３】
0003170214.tif 000005
【図４】
0003170214.tif 000006
【図５】
0003170214.tif 000007